(57)【特許請求の範囲】
【請求項１】
水分配装置のスイッチング構造であって、前記水分配装置の本体は入口チャネルと出口チャネルとを有し、前記入口チャネルと前記出口チャネルとはそれらの間に側方チャネルを有し、前記側方チャネルは、前記入口チャネルによって形成される入口開口を有し、前記側方チャネルは枢動バルブと枢動的にアセンブルされ、前記枢動バルブは前記側方チャネルを通して取り付けられ、前記入口開口の形状はそれの横幅よりも大きい長手方向幅を有し、前記枢動バルブは水封部分と水通過部分とを有し、前記水通過部分は、対向する２つの側面の間で、前記水封部分と隣接し前記水封部分を取り囲むように配置され、前記側方チャンネル内に水が通過する通路を形成し、前記水封部分は前記入口開口を密封するためのものであり、前記水封部分の形状は前記入口開口の前記形状と整合し、
前記水封部分は密封要素を周囲に有し、前記密封要素は、前記入口開口の外縁において緊密に密封するために用いられ、
前記密封要素が前記溝に入れられたとき、前記溝と前記密封要素との間に小さなギャップが形成され、前記小さなギャップは、水流を反転させて、前記入口開口の外縁に対して前記密封要素を押し付け、前記密封要素は、前記入口開口の外縁に緊密に密接し、前記入口開口は、前記密封要素によって強固に閉じることを特徴とする、水分配装置のスイッチング構造。
【請求項２】
水分配装置のスイッチング構造であって、前記水分配装置の本体は入口チャネルと出口チャネルとを有し、前記入口チャネルと前記出口チャネルとはそれらの間に側方チャネルを有し、前記側方チャネルは、前記入口チャネルによって形成される入口開口と、前記出口チャネルによって形成される出口開口とを有し、前記側方チャネルは枢動バルブと枢動的にアセンブルされ、前記枢動バルブは水封部分と水通過部分とを有し、前記水通過部分は、対向する２つの側面の間で、前記水封部分と隣接し前記水封部分を取り囲むように配置され、前記側方チャンネル内に水が通過する通路を形成し、前記水封部分の形状は前記入口開口の形状と整合し、前記入口開口の前記形状はそれの横幅よりも大きい長手方向幅を有し、
前記水封部分の外縁は溝を有し、前記溝は密封要素を受け入れ、
前記密封要素が前記溝に入れられたとき、前記溝と前記密封要素との間に小さなギャップが形成され、前記小さなギャップは、水流を反転させて、前記入口開口の外縁に対して前記密封要素を押し付け、前記密封要素は、前記入口開口の外縁に緊密に密接し、前記入口開口は、前記密封要素によって強固に閉じることを特徴とする水分配装置のスイッチング構造。
【請求項３】
水分配装置のスイッチング構造であって、前記水分配装置の本体は入口チャネルと出口チャネルとを有し、前記入口チャネルと前記出口チャネルとはそれらの間に側方チャネルを有し、前記側方チャネルは、前記入口チャネルによって形成される入口開口と、前記出口チャネルによって形成される出口開口とを有し、前記側方チャネルは枢動バルブと枢動的にアセンブルされ、柱形状を有する前記枢動バルブは、前記水分配装置の前記本体の前記側方チャネルを通して横方向に伸張され、前記枢動バルブは、前記側方チャネルに取り付けられ、作動部材に接続され、前記作動部材は、前記入口開口を開閉するために前記枢動バルブを枢動的に移動させるように配置され、前記枢動バルブは水封部分と水通過部分とを有し、前記水通過部分は、対向する２つの側面の間で、前記水封部分と隣接し前記水封部分を取り囲むように配置され、前記側方チャンネル内に水が通過する通路を形成し、前記水封部分の密封面はそれの横幅よりも大きい長手方向幅を有し、前記水封部分は溝を周囲に有し、前記入口開口の形状はそれの横幅よりも大きい長手方向幅を有し、密封要素が前記溝に取り付けられたとき、前記溝と前記密封要素との間に小さなギャップが形成され、前記小さなギャップは、水流を反転させて、前記入口開口の外縁に対して前記密封要素を押し付け、前記密封要素は、前記入口開口の外縁に緊密に密接し、前記入口開口は、前記密封要素によって強固に閉じ、前記枢動バルブは、前記水封部分が前記入口開口と一致したとき、前記密封要素が前記入口開口の外縁上で密封するように枢動することを可能にされることを特徴とする、水分配装置のスイッチング構造。
【発明の詳細な説明】
【技術分野】
【０００１】
著作権の表示
本特許文献の開示の一部分は、著作権保護を受ける資料を含んでいる。著作権所有者は、米国特許商標局の特許ファイル又は記録に現れているように誰でも本特許開示を複製することに異議はないが、それ以外の一切のあらゆる著作権を確保する。
【０００２】
本発明は、水分配装置に関し、詳細にはスイッチング構造をもつ水分配装置に関し、スイッチングバルブが水分配装置の水チャネル間に設置され、手動作動部材の手動操作によってスイッチバルブを制御することを可能にするために、手動作動部材によって作動させられる。
【背景技術】
【０００３】
従来の水分配装置は、ユーザが水噴霧のためにスイッチをオン及びオフにするために容易に操作できるようにするために設計され、したがって、手動プッシュするための作動部材を有する。水分配装置のこれらの構造は以下を含む。本体は出口チャネルと入口チャネルとを有する。出口チャネル及び入口チャネルは、架橋チャネルとしてスルーチャネルを用いて水流を連結する。スルーチャネルは枢動バルブと枢動的にアセンブルされ、枢動バルブは水封部分を有し、枢動バルブはスルーチャネルを通して取り付けられる。作動部材を操作することによって枢動バルブの枢動の径角度が推進されることを可能にするために、枢動バルブの２つの端部は作動部材とアセンブル的に接続し、作動部材は、水封部分に出口開口を閉じさせるか又は入口チャネルを開かせる。
【０００４】
出口チャネルの開口はラウンドボアタイプに属する。そのようなラウンドボアタイプの出口開口は、いくつかの従来の水分配装置にとって通例の構造である。ラウンドボアタイプのそのような設計、及び出口開口と整合する水封部分のために、水封部分の背面は、入口チャネルから入る流れの衝撃圧力と、出口開口を出る水の吸引力の両方に耐えている。その結果、水封部分は２つの牽引力に耐え、それにより、水封部分が出口開口の外にフラッシュされ得るか、又は水封部分がゆがめられて出口チャネルを完全に閉じることができなくなり得、それにより、漏れが生じる。その上、水封部分に出口開口を閉じさせるためにはより長い動作ストロークが必要になる。
【発明の概要】
【発明が解決しようとする課題】
【０００５】
本発明の改善は、作動部材のストロークを短縮する目的を達成するために、水封部分が入口開口を閉じる又は開くことをもたらすために、作動部材に枢動バルブの枢動を行わせることを含み、これにより、ユーザは、水分配装置をオン又はオフにするためにより効率的で容易な方法を使用することが可能になる。さらに、別の目的は、水封部分の外縁が溝を有することであり、溝は密封要素を被スリーブ的に有する。密封要素が溝に入れられたとき、溝に入りフラッシュバックして密封要素を延長するように水流を案内するための小さいギャップが依然として残され、それにより、密封要素は入口開口により密接に接続させられ、これにより、密封要素に入口開口をより確実に閉じめさせることによって漏れを防ぐ目的が達成される。
【課題を解決するための手段】
【０００６】
水分配装置のスイッチング構造が、水分配装置の本体中に入口チャネルと出口チャネルとを有する。入口チャネルと出口チャネルとは、それらの間に側方チャネルを有する。側方チャネルは、枢動バルブと枢動的にアセンブルされる。枢動バルブは側方チャネルを通して取り付けられる。枢動バルブの２つの端部は作動部材に動作可能に接続され、作動部材は、枢動バルブの径角度を調整するために、したがって、出口開口及び入口開口を開状態と閉状態との間で制御するために、枢動バルブを枢動的に移動させるように配置される。
【０００７】
特徴は、入口開口の形状が、それの横幅よりも大きい長手方向幅をもつボアタイプを有し、その形状が長楕円形状を含むという点にある。枢動バルブは水封部分と水通過部分とを有する。枢動バルブの水封部分の形状は、入口開口のボアタイプと整合する。水封部分は密封要素を周囲に有する。水が側方チャネルから漏れるのを防ぐために、２つの密封リングが、側方チャネルを密封するためにそれぞれ枢動バルブの第１及び第２の側面において結合される。入口開口と不整合又は整合されるように枢動バルブの水封部分を制御して、枢動バルブが開状態と閉状態との間で切り替わるように、枢動バルブの枢動角度を制御可能に調整するように枢動バルブを駆動するために、作動部材が枢動バルブの２つの側方端部の間に延長され、本体の外側に配置される。それに応じて、水封部分が入口開口と不整合であるとき、枢動バルブが開かれて、出口チャネルを通過するように水を案内し、それにより、水分配装置は開状態に変えられる。水封部分が入口開口と整合するとき、枢動バルブが閉じられて、入口チャネルにおいて水を遮断し、それにより、水分配装置は閉状態に変えられる。
【０００８】
問題を解決する本発明の特徴は、入口開口が扁長形状であることを含み、扁長形状と呼ばれるこの形状は楕円形状又は長楕円形状を含み、これは、入口開口の長手方向幅がそれの横幅よりも大きいことを意味する。枢動バルブの水封部分の形状は、入口開口の形状と整合する。水封部分の外縁は溝をさらに有し、溝は密封要素を有する。密封要素２５及び溝２４１との間のスリービングは小さいギャップを依然として残す。
【０００９】
その上、枢動バルブの水封部分と入口開口が閉モードのために結合されるとき、それは単に密封要素に入口開口と整合させ、それにより、水封部分は、前部の入口開口からの水圧の衝撃に直接耐えることになる。水封部分が入口開口を閉じると、水封部分は、入口チャネルからフラッシュされる水流を受ける。水流はまた、水封部分の外縁の溝の中にフラッシュする。溝に入った水は、フラッシュバックした水で密封要素をわずかに延長するように、密封要素にフラッシュバックする。その結果、密封要素は、より密接に入口開口の外縁に接続し、これは、入口開口をより確実に閉じることによって漏れを防ぐ効果を作り出す。
【００１０】
本発明の別の特徴は、入口開口が、扁長開口の改善された設計を適用することである。開口の形状の長手方向幅が短縮されるので、枢動バルブが、開くことと閉じることとの間で作動するためのストロークが短縮され得る。その上、開口の形状の横幅がより長くなるので、これは、入口開口においてより大きい体積の水流を提供する。
【００１１】
本発明は、入口開口の形状を扁長のみにすることによって、漏れ防止と、スイッチング動作のための経路を短縮するという目的を達成することができる。
【００１２】
本発明のこれら及び他の目的、特徴、及び利点は、以下の詳細な説明、添付の図面、及び添付の特許請求の範囲から明らかになろう。
【図面の簡単な説明】
【００１３】
【図１】本発明の分解３次元斜視図。
【図２】本発明の水分配装置のスルーチャネルの拡大斜視図。
【図３】図２のＥ−Ｅ断面斜視図。
【図４】本発明の入口チャネルを開く断面実装斜視図。
【図５】本発明の入口チャネルを閉じる断面実装斜視図。
【図６】本発明の枢動バルブの拡大３次元斜視図。
【図７】本発明の枢動バルブの別の角度からの拡大３次元斜視図。
【図８】本発明の断面実装斜視図。
【図９】枢動バルブのストロークについての比較斜視図。
【発明を実施するための形態】
【００１４】
本発明の十分な理解のために、以下で、詳細な説明のために好ましい実施形態及び対応する図を提供する。本発明の好ましい実施形態の対応する図も、当業者が本明細書に基づいて本発明を実装するのを助けるために、さらなる例示のために適用されるが、これらは、本発明の範囲を限定するために使用されるべきではない。
【００１５】
図面の図１〜図７を参照すると、水分配装置の本体１は、入口チャネル１１と出口チャネル１２とを有する。入口チャネル１１と出口チャネル１２とは、それらの間に側方チャネル２７を有する。側方チャネル２７は、入口チャネル１１によって形成される入口開口２７１と、出口チャネル１２によって形成される出口開口２７２とを有する。側方チャネル２７は枢動バルブ２３と枢動的にアセンブルされ、柱形状を有する枢動バルブ２３は、水分配装置の本体１の側方チャネル２７を通して長手方向に延長される。枢動バルブ２３は、枢動的に移動可能な様式で側方チャネル２７に取り付けられ、枢動バルブ２３は、動作可能に作動部材２２１に接続し、作動部材２２１は、枢動バルブ２３の径角度を調整するために、したがって、入口開口２７１を制御可能に開閉するために、枢動バルブ２３を枢動的に移動させるように配置される。
【００１６】
図３及び図４に示されているように、入口開口２７１は、入口開口２７１の長手方向幅がそれの横幅よりも大きい扁長形状又は非円形形状を有する。好ましくは、入口開口２７１は長楕円形状を有する。さらに、入口開口２７１の長手方向幅は、入口チャネル１１の長手方向幅よりもわずかに小さい。入口開口２１７における水流量は、入口開口２７１の長手方向幅を増加させることによって増加され、枢動バルブ２３のストロークは、入口開口２７１の横幅を低減することによって短縮される。
【００１７】
枢動バルブ２３は、水封部分２４、及び水封部分２４と整合された水通過部分２６を有し、ここにおいて、水封部分２４及び水通過部分２６は枢動バルブ２３の２つの反対側に形成される。特に、枢動バルブ２３は、それぞれ水封部分２４及び水通過部分２６を形成するために２つの側方部分を有する。枢動バルブ２３の水封部分２４の形状は、入口開口２７１の形状と整合する。特に、水封部分２４は、入口開口２７１の壁の曲率と整合する伸長湾曲構成で形成された密封面を有し、水封部分２４の密封面は、好ましくは長楕円形状に形成される。水封部分２４の密封面の長手方向幅はそれの横幅よりも大きい。また、水封部分２４の形状は、入口開口２７１において密封するように適合する楕円形状である。したがって、水封部分２４は、水封部分２４の領域が入口開口２７１において密封するのに十分に大きくなるように、入口開口２７１よりも大きい密封領域を有する。枢動バルブ２３は、水封部分２４の密封面上にそれの外縁において窪みとして形成された溝２４１と、水封部分２４の密封面における溝２４１に配設された密封要素２５とをさらに有する。
【００１８】
水封部分２４が入口開口２７１と不整合であるとき、枢動バルブ２３は、出口チャネル２７２を通過するように水を案内するために開かれ、水封部分２４が入口開口２７１と整合するとき、枢動バルブ２３は、入口チャネル２７１において水を遮断するために閉じられる。特に、枢動バルブ２３の水封部分２４は、水封部分２４の密封面が入口開口２７１において密封する位置において入口開口２７１と整合するように移動されたとき、水封部分２４の密封面の外縁における密封要素２５は、入口開口２７１の外縁において緊密に密封することになる。言い換えれば、入口開口２７１のいかなる漏水をも防ぐために、入口開口２７１において緊密に密封することに効果的な密封効果をもたらすために、密封要素２５は、水封部分２４の密封面において緊密に結合される。枢動バルブ２３は、第１の側面２３１ａと第２の側面２３１ｂとを画成する２つの側面をさらに有し、水封部分２４は、第１の側面２３１ａと第２の側面２３１ｂとの間に配置される。枢動バルブ２３は、水が側方チャネル２７から漏れるのを防ぐために、側方チャネル２７を密封するために第１の側面２３１ａと第２の側面２３１ｂとにおいてそれぞれ結合された２つの密封リング２３２をさらに備える。
【００１９】
さらに、水封部分２４の形状は入口開口２７１の形状と整合する。
【００２０】
さらに、枢動バルブ２３は、第１の保護部材２３３と第２の保護部材２２とをさらに備え、第１の保護部材２３３と第２の保護部材２２とは、枢動バルブ２３の２つの外部側壁を形成し、本体の２つの側部において結合される。手動プッシャとして働く作動部材２２１が、第１の保護部材２３３と第２の保護部材２２との間に延長され、作動部材２２１は、枢動バルブ２３の枢動角度を選択的に調整するために、第１の保護部材２３３と第２の保護部材２２とを介して枢動バルブ２３を枢動的に移動させるために、ユーザの指によって移動するように手動で駆動される。特に、作動部材２２１は、作動部材２２１の自由端が第１の保護部材２３３において結合される位置において第２の保護部材２２から一体的に延長される。      言い換えれば、作動部材２２１は、入口開口２７１と整合するかあるいは入口開口２７１と不整合になるように枢動バルブ２３の水封部分２４の位置を制御するために、前方又は後方にプッシュされる。枢動バルブ２３の水封部分２４が入口開口２７１と不整合であるとき、枢動バルブ２３の水通過部分２６は、図５に示されているように、水が出口開口２７２から流れ出ること、すなわち、水分配装置の動作中モードを可能にするために、出口開口２７２と整合される。枢動バルブ２３の水封部分２４は、水封部分２４の密封面が入口開口２７１において密封するように入口開口２７１と整合するように移動されたとき、水封部分２４の密封面の外縁における密封要素２５は、水が入口開口２７１から側方チャネル２７に入るのを阻止するために、すなわち、水分配装置の閉鎖中モードのために、入口開口２７１の外縁において緊密に密封することになる。
【００２１】
図８に示されているように、作動部材２２１は、枢動バルブ２３の水封部分２４が入口開口２７１と整合する位置Ｃにおいて移動される。作動部材２２１は、枢動バルブ２３の水封部分２４が入口開口２７１と不整合である位置Ｄにおいて移動される。図９が示すように、従来技術の作動部材２２１は枢動バルブ２３を枢動させ、水を閉じることから開くことに必要とされるそのストロークは、位置Ａから位置Ｂまでである。しかしながら、本発明の水を閉じることから開くことに必要とされるストロークは、作動部材２２１が枢動バルブ２３を位置Ｃから位置Ｄまで枢動させることである。本発明の作動部材２２１のストロークを従来の水分配装置と比較すると、本発明のストロークは従来の水分配装置のストロークよりも短く、したがって、本発明は、ユーザの指によって作動部材２２１をプッシュするためにユーザに人間工学的設計を提供する。
【００２２】
本発明の主要な特徴及び利点は以下を含む。枢動バルブ２３の水封部分２４は入口開口２７１に適合する。また、水封部分２４は溝２４１を周囲に有し、溝２４１は密封要素２５を受け入れる。その上、密封要素２５が溝２４１に入れられたとき、密封要素２５と溝２４１との間のスリービングは、水流がフラッシュバックして密封要素２５をプッシュして、密封要素２５に入口開口２７１の外縁を押下させることを可能にし、それにより、密封要素２５に入口開口２７１をより確実に閉じさせるように、水流がそこからフラッシュすることを可能にする、小さいギャップを依然として残す。
【００２３】
また、別の実施形態では、水封部分２４の側部は溝２４１を周囲に形成する。溝２４１の外縁は、（図に示されていない）複数のギャップを有し、これらのギャップは溝２４１の周囲に設置される。溝２４１は密封要素２５を受け入れる。したがって、密封要素２５が溝２４１に入れられたとき、ギャップは、水流をフラッシュバックさせて密封要素２５をプッシュして、密封要素２５に入口開口２７１のほうへ押下させ、それにより、密封要素２５に入口開口２７１をより確実に密封させるために、水流がそこから溝２４１にフラッシュすることを可能にすることができる。
【００２４】
その上、入口開口２７１の形状は、長方形及び角丸長方形を含む。
【００２５】
上記の説明は、好ましい実施形態を示すためのものであって、本発明の範囲を限定するものとして解釈されるべきではない。容易に当業者に明らかになり得る様々な修正は、本発明の範囲内に入ることが意図される。したがって、本発明の範囲への唯一の限定は、本明細書に添付された以下の特許請求の範囲に記載されている。
【図１】
0006455472.tif 000002
【図２】
0006455472.tif 000003
【図３】
0006455472.tif 000004
【図４】
0006455472.tif 000005
【図５】
0006455472.tif 000006
【図６】
0006455472.tif 000007
【図７】
0006455472.tif 000008
【図８】
0006455472.tif 000009
【図９】
0006455472.tif 000010